(57)【要約】      （修正有）【課題】小さく折りたたみ可能であると共に、ソーラークッカーとして使用していないときにも有用に使用可能な折りたたみソーラークッカーを提供する。【解決手段】１枚のシートを折り込んで組み立て可能なソーラークッカー１であって、前記シートの展開図において、矩形の底面１０と、前記底面の周縁の各辺に谷折り線を介して繋止めされた側面２０、３０、４０と、それぞれ隣り合う前記側面の間に、端辺どうしが折り線を介して繋止めされた接続面５０、６０を備え、それぞれの前記接続面には、前記底面の各角部２１０、２２０の近傍から周縁に延びる切り込み７０及び／又は折り込み線１２０、１３０と、前記側面の少なくともいずれかには、前記底面とそれぞれの前記側面とが垂直になるように折り込んで天面に開口を備える直方体形状に成形した際に当該直方体を平坦に折りたたみ可能なガゼット折り込み線１１０、１４０、１５０をさらに備える。【選択図】図１
0003235256.tif 000002
【実用新案登録請求の範囲】
【請求項１】
1枚のシートを折り込んで組み立て可能なソーラークッカーであって、
前記シートの展開図において、
矩形の底面と、
前記底面の周縁の各辺に谷折り線を介して繋止めされた側面と、
それぞれ隣り合う前記側面の間に、隣り合う前記側面の端辺どうしが折り線を介して繋止めされた接続面を備え、
それぞれの前記接続面には、前記底面の各角部近傍から周縁に延びる切り込み及び／又は折り込み線と、
対向する一対の前記側面と前記底面には、前記底面とそれぞれの前記側面とが垂直になるように折り込んで天面に開口を備える直方体形状に成形した際に当該直方体を平坦に折りたたみ可能なガゼット折り込み線をさらに備える、ソーラークッカー。
【請求項２】
前記切り込みは、前記接続面の周縁の一端から前記底面の角部に向かうに従って先細りとなる平面視くさび形である請求項１に記載のソーラークッカー。
【請求項３】
前記接続面に備える前記折り込み線は、山折りのための第一の折り込み線と、谷折りのための第二の折り込み線からなる請求項１又は２に記載のソーラークッカー。
【請求項４】
前記シートは、少なくとも一方面にアルミニウム層を備え、他方面に紙及び／又は合成樹脂より構成される基材層を備える、請求項１〜３のいずれかに記載のソーラークッカー。
【請求項５】
前記底面の一辺の長さが２０ｃｍ以上６０ｃｍ以下、前記隣り合う側面の端辺の長さが２０ｃｍ以上６０ｃｍ以下、であることを特徴とする、請求項1〜４いずれか記載のソーラークッカー。
【請求項６】
前記接続面には、前記底面と前記側面、前記側面と前記接続面が一定の角度を有する状態を保持するための保持部を備えることを特徴とする、請求項1〜５いずれか記載のソーラークッカー。
【請求項７】
前記側面には、少なくとも１つの把手を備えていることを特徴とする、請求項1〜６いずれか記載のソーラークッカー。
【考案の詳細な説明】
【技術分野】
【０００１】
本考案は、ソーラークッカーに関し、特に組み立てて使用するソーラークッカーに関する。
【背景技術】
【０００２】
被災等の有事やインフラの整備が遅れている発展途上国、またキャンプ等において、ソーラークッカーと呼ばれる太陽光を利用した調理器がよく利用されている。ソーラークッカーは、太陽光が当たる表面に、金属板や金属箔、金属蒸着膜を備えた樹脂等が備えられており、太陽光を効率よく集光する様に全体が窪んだ形状で使用される。こうしたソーラークッカーは調理に必要な太陽光を集光するために傘程度のサイズであることが一般的であり、持ち運びや収納においては嵩張るために折りたたみ可能に構成されているものが多い。例えば特許文献１には、普段は折りたたんでおき、使用する際には広げて組み立てるタイプのソーラークッカーが開示されている。
【先行技術文献】
【特許文献】
【０００３】
【特許文献１】実登３１７６６５６
【考案の概要】
【考案が解決しようとする課題】
【０００４】
しかしながら、上記文献記載のソーラークッカーでは、単に折りたたんで収容可能であるのみであり、ソーラークッカーを使用しているとき以外には有用な使用方法がなく、収容しているときや持ち運んでいるときには荷物になってしまう。
そこで本考案は、小さく折りたたみ可能であると共に、ソーラークッカーとして使用していないときにも有用に使用可能な折りたたみソーラークッカーを提供することを目的とする。
【課題を解決するための手段】
【０００５】
本考案のソーラークッカーは、1枚のシートを折り込んで組み立て可能である。前記シートの展開図において、矩形の底面と、前記底面の周縁の各辺に谷折り線を介して繋止めされた側面と、それぞれ隣り合う前記側面の間に、隣り合う前記側面の端辺どうしが折り線を介して繋止めされた接続面を備え、それぞれの前記接続面には、前記底面の各角部近傍から周縁方向に延びる切り込み及び／又は折り込み線と、対向する一対の前記側面と、前記底面には、前記底面とそれぞれの前記側面とが垂直になるように折り込んで天面に開口を備える直方体形状に成形した際に当該直方体を平坦に折りたたみ可能なガゼット折り込み線をさらに備える。
【考案の効果】
【０００６】
本考案のソーラークッカーが上記構成であることで、1枚のシートでありながら、底面と各側面とを繋止めしている谷折り線を緩やかに谷折りし、各接続面と隣接する側面とを繋止めしている折り線をそれぞれ緩やかに谷折りし、且つ各接続面において、切り込みの場合には切り込みを閉じる様にして固定ならびに折り込み線の場合には折り込んだ状態とすることで、全体が窪み状の形状となって、ソーラークッカーとして用いることができる。さらに、底面とそれぞれの側面とが垂直になるように各側面を折り込んで、且つ隣り合う側面どうしが垂直になる様に、各接続面と隣接する側面を繋止めしている折り線も谷折り又は山折りに折り込むことで、一部に開口を備えた直方体形状となって、食材や調理具等の小物を収容することができる。ここからさらに、対向する一対の側面と、底面に備えられたガゼット折り込み線によって、当該直方体を平坦に折りたたみ可能になり、嵩張らずに容易に持ち運ぶことができる。
すなわち、本考案のソーラークッカーは、一枚のシートから構成された単純な構造でありながら、折り込んでソーラークッカーとして使用可能に組み立てることができるだけでなく、収納や保管をする際には収納ケースとして使用することもでき、いずれの使用もしないときには小さく折りたたんでおくことができる。従って、本考案のソーラークッカーは、小さく折りたたみ可能であると共に、ソーラークッカーとして使用していないときにも有用に使用可能である。
【図面の簡単な説明】
【０００７】
【図１】実施形態に係るソーラークッカーの展開図を示す模式的な図である。
【図２】実施形態に係るソーラークッカーの断面を示す模式的な図である。
【図３】実施形態に係るソーラークッカーの保持部の例を示す模式的な図である。
【図４】実施形態に係るソーラークッカーの太陽光調理に使用できる組み立て形状の一例を示す模式的な図である。
【図５】実施形態に係るソーラークッカーの収納ケースとして使用できる組み立て形状を示す模式的な図である。
【図６】実施形態に係るソーラークッカーの小さく折りたたんだ際の形状を示す模式的な図である。
【図７】実施形態に係るソーラークッカーに設置部材が設けられている模式的な図である。
【考案を実施するための形態】
【０００８】
以下、本考案の実施形態を図面に基づいて詳細に説明する。以下の好ましい実施形態の説明は、本質的に例示に過ぎず、本考案、その適用物或いはその用途を制限することを意図するものではない。以下の図面においては、説明の簡潔化のため、実質的に同一の機能を有する構成要素を同一の参照符号で示す。
【０００９】
本考案のソーラークッカーは、1枚のシートを折り込んで組み立て可能に構成されている。前記シートの展開図において、矩形の底面と、前記底面の周縁の各辺に谷折り線を介して繋止めされた側面と、それぞれ隣り合う前記側面の間に、隣り合う前記側面の端辺どうしが折り線を介して繋止めされた接続面を備え、それぞれの前記接続面には、前記底面の各角部近傍から周縁方向に延びる切り込み及び／又は折り込み線と、対向する一対の前記側面と、底面には、前記底面とそれぞれの前記側面とが垂直になるように折り込んで天面に開口を備える直方体形状に成形した際に当該直方体を平坦に折りたたみ可能なガゼット折り込み線をさらに備える。
【００１０】
前記切り込みは、前記接続面の周縁の一端から前記底面の角部に向かうに従って先細りとなる平面視くさび形であることが好ましい。
【００１１】
前記接続面に備える前記折り込み線は、山折りのための第一の折り込み線と、谷折りのための第二の折り込み線からなることが好ましい。
【００１２】
前記シートは、少なくとも一方面に反射層を備え、他方面に紙及び／又は合成樹脂より構成される基材層を備えることが好ましい。
【００１３】
前記底面の一辺の長さが２０ｃｍ以上６０ｃｍ以下、前記隣り合う側面の端辺の長さが２０ｃｍ以上６０ｃｍ以下、であることが好ましい。
【００１４】
前記接続面には、前記底面と前記側面、前記側面と前記接続面が一定の角度を有する状態を保持するための保持部を備えることが好ましい。
【００１５】
前記側面には、少なくとも１つの把手を備えていることが好ましい。
（実施形態１）
以下、各構成について適宜図１〜図７を参照して詳述する。
＜ソーラークッカーの展開図＞
【００１６】
図１は、本実施形態に係るソーラークッカーの展開図を示す模式的な図である。以降の説明では、当該展開図の平面視野にあたるそれぞれの面を表側の面、裏面を裏側の面と呼称する。
ソーラークッカー１は、1枚のシートを折り込んで組み立て可能に構成されている。シートの展開図において、矩形の底面１０と、底面１０の周縁の各辺に谷折り線を介して繋止めされた側面２０，３０，４０と、それぞれ隣り合う側面（２０，３０，４０）の間に、隣り合う側面（２０，３０，４０）の端辺どうしが折り線を介して繋止めされた接続面５０，６０を備え、それぞれの接続面５０，６０には、底面１０の各角部２１０，２２０近傍から周縁に延びる切り込み７０及び／又は折り込み線１２０、１３０と、側面（２０，３０，４０）の少なくともいずれかには、底面１０とそれぞれの側面２０，３０，４０とが垂直になるように折り込んで天面に開口を備える直方体形状に成形した際に当該直方体を平坦に折りたたみ可能なガゼット折り込み線１１０，１４０，１５０をさらに備える。
すなわち、底面１０、側面２０，３０，４０、接続面５０，６０が１枚に繋がっており、シート全体として一部に切り込みが設けられた略矩形状となっている。
図1では、接続面５０に切り込み７０を形成し、接続面６０に折り込み線１２０，１３０が形成された一態様を示しているが、接続面５０，６０の全てに切り込みを備えても、接続面５０，６０の全てに折り込み線を備えても、いずれでもよく、切り込みと折り込み線とを組み合わせる場合はその組み合わせに限定されない。好ましくは、1対の切り込みと一対の折り込み線とを組み合わせることが、ソーラークッカーが太陽光を効率よく集光する形状に組み立てられるため好ましい。
【００１７】
さらに、切り込み７０は、接続面５０の周縁の一端から底面の角部２１０に向かうに従って先細りとなる平面視くさび形であることが好ましい。これにより、接続面５０が切り込み７０によって分断されている構造となり、接続面５０の切り込み７０を形成する一対の辺同士を近接させた状態に組み立ててソーラークッカーとして用いる場合や、底面１０とそれぞれの側面２０，３０，４０とが垂直になるように折り込みながら、分断された接続面５０どうしを折り重ねることで天面に開口を備える直方体形状に成形した場合や、さらに直方体形状の状態からガゼット折り込み線１１０，１４０，１５０を折り込んで、当該直方体を平坦に折りたたんだ状態とする場合に、突っ掛かりが低減し、スムーズに組み立てることができる。
なお、接続面の外周側の側面に隣接していない角部は四角形状に切り欠いていると、さらに突っ掛かりが低減し、スムーズに組み立てることができるため好ましい。
同様に、接続面６０の第一の折り込み線１２０や第ニの折り込み線１３０を折り込んで、ソーラークッカーや箱形状、小さく折りたたんだ状態とする際に、接続面６０の外周側の側面に隣接していない角部近傍が突っ掛からない様に当該角部が四角形状に切り欠いた部位８０を備えることが好ましい。
【００１８】
接続面６０に備える折り込み線は、山折りのための第一の折り込み線１２０と、谷折りのための第二の折り込み線１３０からなることが好ましい。勿論、谷折りのための第一の折り込み線１２０と、山折りのための第二の折り込み線１３０とすることもできる。
これにより、ソーラークッカーとして使用する際に、接続面６０に必ずしも切り込みを設けずとも、第一の折り込み線１２０と、第二の折り込み線１３０を折り込むことで、全体として窪んだ形状、すなわちお椀状の形状とすることができる。この形状により、太陽光を効率的に集光可能とすることができる。
【００１９】
また、図１に示す形状は全体的には略長方形であるが、より長尺の長方形とすれば横長のソーラークッカー、横長の直方体形状及び横長に折りたたまれた形状、とすることができる。また正方形であれば全体として略正方形のソーラークッカー、立方体形状及び正方形に折りたたまれた形状、とすることができる。なお、底面１０は矩形であり、図1では側面２０，３０，４０もいずれも矩形であるが、全ての内角が９０度の四角形であってもよいが、それぞれの面は、意匠性のために４５度から１２０度の範囲の角度を備えた四角形でもよい。また角がテーパー状又はＲ状に切り欠いた形状を備えていてもよい。
＜ソーラークッカーの材料の断面＞
【００２０】
図２に示す様に、ソーラークッカー１を構成するシートは、少なくとも一方面に反射層３１０を備え、他方面に紙及び／又は合成樹脂より構成される基材層３３０を備えることが好ましい。
反射層３１０は太陽光を反射するものである。反射層３１０により反射される光を集光して太陽光調理を行うことができる。反射層３１０は、太陽光を反射可能なものであれば特に限定されず、金属箔及び／又は金属蒸着膜を備える樹脂を好適に用いることができる。金属箔及び／又は金属蒸着膜を備える樹脂を反射層として備えることで、太陽光を効率的に反射することができる。
金属箔としては、アルミニウム箔及び／又は銅箔を好適に用いることができるが、好ましくは軽量性と加工性と太陽光の反射性の高さの観点からアルミニウム箔を用いることが好ましい。アルミニウム箔の組成は限定されず、公知のアルミニウム箔を用いることができる。アルミニウム箔の厚みもまた限定されないが、５μｍ以上４００μｍ以下であることが好ましく、軽量化の点では５μｍ以上５０μｍ以下であることが好ましい。
金属蒸着膜を備える樹脂としては、アルミニウム、銅、亜鉛、銀及び錫からなる群から選択される一種又は二種以上の金属の蒸着膜を備える樹脂を用いることができる。より好ましくは、太陽光の反射性の高さの観点から、アルミニウム蒸着膜を備える樹脂を用いることが好ましい。アルミニウム蒸着膜の厚みは限定されないが、１０ｎｍ以上５００ｎｍ以下であることが好ましい。また、金属蒸着膜を備える樹脂に用いられる樹脂製分としては特に限定されないが、例えばＰＥＴ（ポリエチレンテレフタレート）、ＰＡ(ポリアミド)、ＰＰ(ポリプロピレン)、ＰＣ(ポリカーボネート)、ＰＥ(ポリエチレン)、ＰＭＭＡ(ポリメチルメタクリレート)、ＰＳ(ポリスチレン)、ＰＶＣ(ポリ塩化ビニル)からなる郡から選択される一種又は二種以上の樹脂を用いることができる。
【００２１】
本考案において、基材層３３０は、シートに強度や張り（剛性）を付与するものである。基材層３３０としては、紙及び／又は合成樹脂より構成される材料であれば特に限定されないが、特に紙段ボール、プラスチック段ボール、発泡プラスチック及び樹脂板からなる群から選択される一種又は二種以上の基材を用いることができる。
紙段ボールは１層の両面段ボール(Ａフルート、Ｂフルート、Ｃフルート、Ｅフルート、Ｆフルート、又はＧフルート)、２層の複両面段ボール、３層の複々両面段ボールを用いることができる。好ましくはＡフルート、Ｂフルート、Ｃフルートを用いると、軽量、強度、コストの面で好ましい。
プラスチック段ボールはポリプロピレン樹脂、ポリカーボネート樹脂を用いることができる。好ましくはポリプロピレン樹脂を用いることで、軽量、安価、加工性が良好となる。また、樹脂の厚みは限定されないが、１ｍｍ以上１０ｍｍ以下が好ましい。
発泡プラスチックはポリエチレン樹脂、ポリプロピレン樹脂、ＡＢＳ樹脂等を用いることができる。好ましくはポリプロピレン樹脂を用いることで軽量、強度、安価、加工性が良好となる。また、樹脂の厚みは限定されないが、１ｍｍ以上１０ｍｍ以下が好ましい。
樹脂板としては、ポリプロピレン樹脂板、ポリカーボネート樹脂板、ポリエチレンテレフタレート樹脂板等を好適に用いることができる。
段ボール、プラスチック段ボール又は発泡プラスチック等の紙基材又は樹脂基材が裏面にあることで、軽量で折り畳みやすく、保形性を良好とすることができる。より好ましくは、プラスチック段ボールが、重量に対する強度の高さと軽量さの観点から好ましい。
また、基材層は、一層であってもよいが、紙段ボール、プラスチック段ボール、発泡プラスチック及び樹脂板からなる群から選択される材料を組み合わせた複層であってもよい。
【００２２】
反射層３１０と基材層３３０とは、接着層によって接着されていてもよい。接着層としては、接着剤、粘着剤、両面テープ及びシーラントフィルムからなる群から選択される一種又は二種以上の材料を好適に用いることができる。
接着剤としてはポリエステル樹脂系、アクリル樹脂系、ウレタン樹脂系、酢酸ビニル樹脂系、エポキシ樹脂系、シリコン樹脂系、ゴム系、オレフィン樹脂系、塩化ビニル樹脂系、スチレン-ブタジエンゴム樹脂系及びでんぷん系からなる群から選択される一種又は二種以上の材料を用いることができる。好ましくはポリエステル樹脂系、アクリル樹脂系及びウレタン樹脂系のいずれかの材料を用いると、耐熱性がよく、安価であるため好ましい。また、接着剤を用いたときの接着層の厚みは限定されないが、０．５μｍ以上、１０μｍ以下が好ましい。
粘着剤としてはポリエステル樹脂系、アクリル樹脂系、ウレタン樹脂系、シリコン樹脂系、ゴム系及びスチレン-ブタジエンゴム樹脂系からなる群から選択される一種又は二種以上の材料を用いることができる。好ましくはポリエステル樹脂系、アクリル樹脂系及びウレタン樹脂系のいずれかを用いると、耐熱性がよく、安価であり、基材の段差を埋めることができるため好ましい。また、粘着剤を用いたときの接着層の厚みは限定されないが、１μｍ以上１００μｍ以下であることが望ましい。
両面テープとしてはアクリル樹脂系、ゴム樹脂系及びシリコン樹脂系からなる群から選択される一種又は二種以上の材料を用いることができる。好ましくはアクリル樹脂が耐熱性、価格の面で好ましい。また、両面テープを用いたときの接着層の厚みは限定されないが、１０μｍ以上５００μｍ以下が好ましい。
シーラントフィルムとしてはポリエステル樹脂系、アクリル樹脂系、ウレタン樹脂系、酢酸ビニル樹脂系、シリコン樹脂系、ゴム系、オレフィン樹脂系、塩化ビニル樹脂系、スチレン-ブタジエンゴム樹脂系、スチレン樹脂系、ポリアミド樹脂系、アイオノマー樹脂系及びでんぷん系からなる群から選択される一種又は二種以上のシーラントフィルムを用いることができる。好ましくはポリエステル樹脂系、アクリル樹脂系及びウレタン樹脂系のいずれかのシーラントフィルムを用いると、耐熱性がよく安価であるため好ましい。また、シーラントフィルムを用いたときの接着層の厚みは限定されないが、１０μｍ以上、１００μｍ以下が好ましい。
＜ソーラークッカーのサイズ＞
【００２３】
ソーラークッカーのサイズは特に限定されないが、底面の一辺の長さが２０ｃｍ以上６０ｃｍ以下、隣り合う側面の端辺の長さが２０ｃｍ以上６０ｃｍ以下、であることが好ましい。即ち、直方体形状に成形した際に、底面からの高さが２０ｃｍ以上６０ｃｍ以下であることが好ましい。
上記サイズであることで、太陽光の集光による加熱調理において十分な熱量を得ることができるとともに、箱状にしても嵩張る程大きすぎず且つ小物が収容できない程小さすぎず、且つ小さく折りたたんでも持ち運びやすいサイズとすることができる。
＜保持部＞
【００２４】
図３はソーラークッカーの保持部の例を示す模式的な図である。図１と図３に示す様に、接続面５０に切り込み７０を備える場合には、接続面５０には、底面１０と側面２０，４０、側面２０，４０と接続面５０が一定の角度を有する状態を保持するための保持部５２，５４を備えることが好ましい。すなわち、接続面５０の切り込み７０を形成する一対の辺同士を近接させた状態に組み立ててソーラークッカーとして用いる際に、保持部５２と保持部５４とを掛止させて、この形状を保持する様に構成されていることで、ソーラークッカーとは別にテープやクリップ等を用意せずとも、形状を保持しておくことができる。
【００２５】
図１と図３に示す様に、接続面６０に第一の折り込み線１２０と第二の折り込み線１３０を備える場合には、接続面６０には、底面１０と側面３０，４０、側面３０，４０と接続面６０が一定の角度を有する状態を保持するための保持部６２,６４を備えることが好ましい。すなわち、接続面６０の第一の折り込み線１２０を山折り、第二の折り込み線１３０を谷折りに折り込んでソーラークッカーとして用いる際に、保持部６２どうしと保持部６４どうしをそれぞれ掛止させて、この形状を保持する様に構成されていることで、ソーラークッカーとは別にテープやクリップ等を用意せずとも、形状を保持しておくことができる。
【００２６】
図４は本実施形態に係るソーラークッカーの太陽光調理に使用できる組み立て形状を示す模式的な図である。例えば図１に示したソーラークッカー１の展開図において、底面１０と側面３０間の谷折り線を例えば９５〜１１０度程度、底面１０と側面２０，４０間の谷折り線を例えば１２０度程度の緩やかな角度で谷折り、第一の折り込み線１２０を山折り、第二の折り込み線１３０を谷折り及び分断された接続面５０の一部を重ねることで、図４の状態に組み立てることができる。図４では、保持部５２と保持部５４（図４では接続面５０の一部に隠れるため図示しない）及び保持部６２，６４（図４では接続面６０の後ろに隠れるため図示しない）によってこの形状が保持されている。
【００２７】
本考案において保持部とは、組み立てた形状を保持するためのものであって、保持機構は特に限定されないが、スナップボタン、面ファスナー、粘着テープ、クリップ、磁石及びネジやフックからなる群から選択される一種又は二種以上の保持部材を用いることができる。耐久性の観点からはスナップボタンを利用することが好ましい。
【００２８】
図５は本実施形態に係るソーラークッカーを、天面に開口を有する直方体形状に組み立てた際の模式的な図である。図４の状態から、さらに底面１０とそれぞれの側面２０，３０，４０とが垂直になるように折り込みながら、保持部５４を有する接続面５０を側面４０に重ねる様に折りたたみ、次いで保持部５４を有する接続面５０の裏側と保持部５２を有する接続面５０の裏側が重なる様にして分断された接続面５０どうしを折り重ねる。これと併せて、側面４０の接続面６０が接続する側の辺と側面３０の接続面６０が接続する側の辺とを当接させ、さらに接続面６０を第一の折り込み線１２０に沿って谷折りし、側面３０の裏側に折り込むことで、図５（ａ）の状態に組み立てることができる。
なお、この形状が保持されるように、接続面５０や接続面６０、側面４０等に図示しない別の保持部を備えてもよい。
なお、図５では保持部５２を有する接続面５０と保持部５４を有する接続面５０とを重ねて直方体形状の内側に折り込んだ状態を示しているが、図６（ａ）に示す様に、保持部５２を有する接続面５０を直方体形状の外側、保持部５４を有する接続面５０を直方体形状の内側に折り込んでもよい。
同様に、図５では接続面６０は側面３０の裏側、すなわち直方体形状の外側に折り込んだ状態を示しているが、図６（ａ）に示す様に、接続面６０は直方体形状の内側に折り込んでもよい。
いずれも天面に開口を有する直方体形状に組み立てることができる。
【００２９】
また、側面２０,３０，４０には、少なくとも１つの把手を備えていることが好ましい。
図５（ｂ）には、対向する側面４０に、一対の把手１００を備えた一態様を示す。
側面４０の開口側の中間点付近に把手を備えることで、持ち運びを簡便にすることができる。これにより、天面に開口を有する直方体形状のソーラークッカー１を手提げバッグやショルダーバッグの様に使用し、中に食材や調理器具（包丁、焼き網、まな板等）を収容した状態で容易に持ち運ぶことが可能となる。
把手の材質は限定されないが、紙紐、樹脂紐、綿紐、皮帯、紙帯及び樹脂帯からなる群から選択される一種又は二種以上の公知の把手材を用いることができる。
また把手の長さは限定されないが、手持ち用であれば１５ｃｍ以上８０ｃｍ以下、ショルダー掛け用であれば７０ｃｍ１２０ｃｍ以下の長さの材料を用いることができる。
【００３０】
図６は本実施形態に係るソーラークッカーを小さく折りたたんだ状態の模式的な図である。図６（ａ）から、ガゼット折り込み線１１０，１４０，１５０（図１参照）をガゼット折りとすることで、図６（ｂ）に示す様に潰れた状態となり、さらにガゼット折り込み線１１０，１４０，１５０を折り込むことで、図６（ｃ）の様に、平たい状態に組み立てることができる。  なお、この形状が保持されるように、接続面５０や接続面６０、側面４０等に図示しない別の保持部を備えてもよい。
【００３１】
保持部５２と、保持部５４は、接続面５０の同一面内の分断された面の一方の表面と他方の裏面とを重ねた状態の形状を保持可能に構成されており、保持部６２，６４は、第一の折り込み線１２０を山折り且つ第二の折り込み線１３０を谷折りに折り込んだときに接続面６０の表面の一部同士が当接して折りたたまれた状態の形状を保持可能に構成されていることが好ましい。ここで「接続面５０の同一面内の分断された面」とは、図１でいうところの、１つは図上方の側面４０に接続された接続面５０と側面２０の図上方に接続された側面５０、もう１つは図下方の側面４０に接続された接続面５０と側面２０の図下方に接続された側面５０、を意味する。すなわち、図４に示す様に、切り込み７０によって分断された接続面５０を再び繋ぎ合わせる様に折りこむことで、立体的な形状とすることができる。
これにより、図４に示す様に、全体として凹凸の少ない綺麗な窪み形状を維持することができる。
＜その他の構成＞
【００３２】
本実施形態のソーラークッカーには、その表面に調理器具を設置するための設置部材を設けてもよい。具体的には、ソーラークッカーの表面に、フェルト、木材、ゴム、紙、土材、石材からなる群から選択される一種又は二種以上の部材を設けることで、高温になった調理器具によってソーラークッカーが損傷することを防ぐことができる。
こうした設置部材としては、ソーラークッカーにおける太陽光の反射を妨げない程度の大きさであればよく、例えば０．５ｃｍ２以上５ｃｍ２以下の大きさで、厚さ０．１ｃｍ以上２ｃｍ以下の部材を３個から１０個程度備えていることが好ましい。
図７は、本実施形態に係るソーラークッカーに設置部材が設けられた状態の模式的な図である。ソーラークッカー１の底面１０の表面に、フェルト製の３つの設置部材９０が設けられている。すなわち、ソーラークッカー１の底面１０の裏面が地面に設置される状態で使用され、設置部材９０の上に調理器具が設置されるようになっている。
（その他の実施形態）
【００３３】
上述の実施形態は本考案の例示であって、本考案はこれらの例に限定されず、これらの例に周知技術や慣用技術、公知技術を組み合わせたり、一部置き換えたりしてもよい。また当業者であれば容易に思いつく改変考案も本考案に含まれる。
【符号の説明】
【００３４】
１                                    ソーラークッカー
１０                                  底面
２０，３０，４０                      側面
５０，６０                            接続面
５２，５４，６２，６４                保持部
７０                                  切り込み
８０                                  切り欠いた部位
９０                                  設置部材
１００                                  把手
１１０，１４０，１５０                  ガゼット折り込み線
１２０                                  第一の折り込み線
１３０                                  第二の折り込み線
２１０，２２０                          底面の角部
３１０                                  反射層
３３０                                  基材層
【図１】
0003235256.tif 000003
【図２】
0003235256.tif 000004
【図３】
0003235256.tif 000005
【図４】
0003235256.tif 000006
【図５】
0003235256.tif 000007
【図６】
0003235256.tif 000008
【図７】
0003235256.tif 000009